【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
半永続スケジューリング(SPS)構成メッセージを基地局から受信するステップであって、前記SPS構成メッセージが、共有無線周波数スペクトル帯域を介したダウンリンクSPS通信のための少なくとも1つのSPSパラメータを備える、ステップと、
前記SPS構成に少なくとも一部基づいて、前記ダウンリンクSPS通信のために割り振られた1つまたは複数のサブフレームまたはスロットを特定するステップと、
前記SPS構成に従って、前記1つまたは複数のサブフレームまたはスロットの間に前記ダウンリンクSPS通信を実行するステップとを備え、前記ダウンリンクSPS通信を実行するステップが、
前記SPS構成に従って、第1のサブフレームまたはスロットの間に前記共有無線周波数スペクトルのチャネル上でメッセージが受信されなかったと決定するステップと、
前記決定に少なくとも一部基づいて、前記メッセージの送信およびSPS期間内の構成されるウィンドウのための、前記第1のサブフレームまたはスロットに取って代わる第2のサブフレームまたはスロットを特定するステップと、
前記第2のサブフレームまたはスロットの間に、前記チャネル上で前記メッセージのグラントレス送信を受信するステップとを備える、方法。
【請求項２】
前記SPS構成に少なくとも一部基づいて、前記構成されるウィンドウのウィンドウサイズを決定するステップをさらに備え、前記第2のサブフレームまたはスロットが前記決定に少なくとも一部基づいて特定される、請求項1に記載の方法。
【請求項３】
前記第2のサブフレームまたはスロットを特定するステップが、
前記メッセージの前記グラントレス送信を検出するために、前記構成されるウィンドウ内の複数の連続するサブフレームまたはスロットを復号するステップを備える、請求項1に記載の方法。
【請求項４】
前記構成されるウィンドウと関連付けられるウィンドウサイズを示す構成メッセージを受信するステップをさらに備え、前記ウィンドウサイズが前記構成されるウィンドウ内の複数のサブフレームまたはスロットを備える、請求項1に記載の方法。
【請求項５】
前記第1のサブフレームまたはスロットの間に前記メッセージを受信することと関連付けられる送信パラメータを決定するステップをさらに備え、前記グラントレス送信が前記送信パラメータに少なくとも一部基づいて受信され、
前記送信パラメータが、前記第1のサブフレームもしくはスロットの間の前記メッセージの受信に使用されるべき変調およびコーディング方式(MCS)、または、前記第1のサブフレームもしくはスロットの間の前記メッセージの前記受信と関連付けられるリソース割振り方式、またはこれらの組合せのうちの少なくとも1つを備える、請求項1に記載の方法。
【請求項６】
前記メッセージを受信したことに少なくとも一部基づいて、および前記SPS構成に従って、第1の物理ランダムアクセスチャネル(PRACH)波形を使用する肯定応答(ACK)メッセージまたは第2のPRACH波形を使用する否定応答(NACK)メッセージのうちの少なくとも1つを送信するステップをさらに備える、請求項1に記載の方法。
【請求項７】
ワイヤレス通信のための方法であって、
共有無線周波数スペクトル帯域を介してダウンリンク半永続スケジューリング(SPS)通信を実行するための1つまたは複数のユーザ機器(UE)を特定するステップと、
前記共有無線周波数スペクトル帯域を介した前記ダウンリンクSPS通信のための少なくとも1つのSPSパラメータを備えるSPS構成メッセージを、前記1つまたは複数のUEに送信するステップと、
前記SPS構成に従って、1つまたは複数のサブフレームまたはスロットの間に前記ダウンリンクSPS通信を実行するステップとを備え、前記ダウンリンクSPS通信を実行するステップが、
前記SPS構成に従って、第1のサブフレームまたはスロットの間のメッセージの送信に前記共有無線周波数スペクトルのチャネルが利用不可能であると決定するステップと、
前記チャネルの利用不可能性およびSPS期間内の構成されるウィンドウに少なくとも一部基づいて、前記第1のサブフレームまたはスロットに取って代わる第2のサブフレームまたはスロットを選択するステップと、
前記選択された第2のサブフレームまたはスロットの間に、前記チャネル上で前記メッセージのグラントレス送信を実行するステップとを備える、方法。
【請求項８】
前記構成されるウィンドウと関連付けられるウィンドウサイズを決定するステップをさらに備え、前記第2のサブフレームまたはスロットが前記ウィンドウサイズに少なくとも一部基づいて選択される、請求項7に記載の方法。
【請求項９】
前記構成されるウィンドウと関連付けられるウィンドウサイズを示す構成メッセージを送信するステップをさらに備え、前記ウィンドウサイズが前記構成されるウィンドウ内の複数のサブフレームまたはスロットを備える、請求項7に記載の方法。
【請求項１０】
前記第1のサブフレームまたはスロットの間に前記メッセージの送信と関連付けられる送信パラメータを決定するステップをさらに備え、前記グラントレス送信が前記送信パラメータに少なくとも一部基づいて実行され、
前記送信パラメータが、前記第1のサブフレームもしくはスロットの間の前記メッセージの送信に使用されるべき変調およびコーディング方式(MCS)、または、前記第1のサブフレームもしくはスロットの間の前記メッセージの前記送信と関連付けられるリソース割振り方式、またはこれらの組合せのうちの少なくとも1つを備える、請求項7に記載の方法。
【請求項１１】
前記SPS構成に従って送信される肯定応答(ACK)メッセージのために使用すべき第1の物理ランダムアクセスチャネル(PRACH)波形を特定するステップと、
前記SPS構成に従って送信される否定応答(NACK)メッセージのために使用すべき第2のPRACH波形を特定するステップとをさらに備える、請求項7に記載の方法。
【請求項１２】
定められた数のユーザ機器(UE)がアクティブなSPSプロセスと関連付けられると決定するステップと、
前記決定に少なくとも一部基づいて前記SPS構成のSPS周期を選択するステップとをさらに備える、請求項7に記載の方法。
【請求項１３】
ワイヤレス通信のための装置であって、
半永続スケジューリング(SPS)構成メッセージを基地局から受信するための手段であって、前記SPS構成メッセージが、共有無線周波数スペクトル帯域を介したダウンリンクSPS通信のための少なくとも1つのSPSパラメータを備える、手段と、
前記SPS構成に少なくとも一部基づいて、前記ダウンリンクSPS通信のために割り振られた1つまたは複数のサブフレームまたはスロットを特定するための手段と、
前記SPS構成に従って、前記1つまたは複数のサブフレームまたはスロットの間に前記ダウンリンクSPS通信を実行するための手段とを備え、前記ダウンリンクSPS通信を実行するための手段が、
前記SPS構成に従って、第1のサブフレームまたはスロットの間に前記共有無線周波数スペクトルのチャネル上でメッセージが受信されなかったと決定するための手段と、
前記決定に少なくとも一部基づいて、前記メッセージの送信およびSPS期間内の構成されるウィンドウのための、前記第1のサブフレームまたはスロットに取って代わる第2のサブフレームまたはスロットを特定するための手段と、
前記第2のサブフレームまたはスロットの間に、前記チャネル上で前記メッセージのグラントレス送信を受信するための手段を備える、装置。
【請求項１４】
ワイヤレス通信のための装置であって、
共有無線周波数スペクトル帯域を介してダウンリンク半永続スケジューリング(SPS)通信を実行するための1つまたは複数のユーザ機器(UE)を特定するための手段と、
前記共有無線周波数スペクトル帯域を介した前記ダウンリンクSPS通信のための少なくとも1つのSPSパラメータを備えるSPS構成メッセージを、前記1つまたは複数のUEに送信するための手段と、
前記SPS構成に従って、1つまたは複数のサブフレームまたはスロットの間に前記ダウンリンクSPS通信を実行するための手段とを備え、前記ダウンリンクSPS通信を実行するための手段が、
前記SPS構成に従って、第1のサブフレームまたはスロットの間のメッセージの送信に前記共有無線周波数スペクトルのチャネルが利用不可能であると決定するための手段と、
前記チャネルの利用不可能性およびSPS期間内の構成されるウィンドウに少なくとも一部基づいて、前記第1のサブフレームまたはスロットに取って代わる第2のサブフレームまたはスロットを選択するための手段と、
前記選択された第2のサブフレームまたはスロットの間に、前記チャネル上で前記メッセージのグラントレス送信を実行するための手段を備える、装置。
【請求項１５】
コンピュータによって実行されたとき、コンピュータに請求項1から6、または7から12のうちのいずれか一項に記載の方法を実行させる実行可能な命令を含む、コンピュータプログラム。